(57)【要約】  【課題】  簡易なスチーム式の加湿器において、蒸気量の調整を行う器具を提供することを課題とする。  【解決手段】  中空の本体と、前記本体の下方に形成される所定のスチーム式の加湿器の蒸気噴出口に取付けることができる取付け口と、前記本体の上方に形成される、前記本体の水平面で切った最大の断面積よりも小さな断面積部分を有する排出口とを有するスチーム式加湿器用蒸気調整器を加湿器の蒸気噴出口に取り付けることで、本体内で加湿器から噴出する蒸気を凝縮させて排出口からより少ない蒸気を排出させるようにする。【選択図】  図１
2007017009.tif 000002
【特許請求の範囲】
【請求項１】
中空の本体と、
前記本体の下方に形成される所定のスチーム式の加湿器の蒸気噴出口に取付けることができる取付け口と、
前記本体の上方に形成される、前記本体の水平面で切った最大の断面積よりも小さな断面積部分を有する排出口と
を有するスチーム式加湿器用蒸気調整器。
【請求項２】
前記スチーム式加湿器蒸気調整器は、さらに、
１以上のアダプター調整体を有するものであって、
当該アダプター調整体は、
中空のアダプター本体と、
前記アダプター本体の下方に形成される前記排出口に取付けることができるアダプター取付け口と、
前記アダプター本体の上方に形成される、前記アダプター本体の水平面で切った最大の断面積よりも小さな断面積部分を有し、前記排出口と同じ形状と大きさを有するアダプター排出口とを有する
請求項１に記載のスチーム式加湿器用蒸気調整器。
【請求項３】
前記本体は、容積が可変に形成される請求項１又は２に記載のスチーム式加湿器蒸気調整器。
【発明の詳細な説明】
【技術分野】
【０００１】
本発明は、スチーム式の加湿器の蒸気噴出口に取り付けて蒸気を調整する器具に関する。
【背景技術】
【０００２】
従来のスチーム式の加湿器において、蒸気量の調整は湿度センサーにより湿度をモニターし、設定湿度との比較により加熱温度や加熱時間を自動制御する方法を採ることが一般的である。また、単に加熱温度や加熱時間を設定することで蒸気量を調整するものもある。
【発明の開示】
【発明が解決しようとする課題】
【０００３】
しかし、簡易なスチーム式の加湿器においては、このような調節機能がついていないものが多く、蒸気量の調整のためには電源の入切を人が行う必要があり、大変煩雑であった。
このために、簡易なスチーム式の加湿器では過湿状態になりやすく、状況に応じた快適な湿度は得られにくい。
本発明は、このような問題に鑑みて、簡易なスチーム式の加湿器において、蒸気量の調整を行う器具を提供することを課題とする。
【課題を解決するための手段】
【０００４】
上記課題を解決するために、本発明は次のような構成を有する。
請求項１に記載の発明は、中空の本体と、前記本体の下方に形成される所定のスチーム式の加湿器の蒸気噴出口に取付けることができる取付け口と、前記本体の上方に形成される、前記本体の水平面で切った最大の断面積よりも小さな断面積部分を有する排出口とを有するスチーム式加湿器用蒸気調整器である。
このような構成を有するスチーム式加湿器用蒸気調整器の取付け口を加湿器の蒸気噴出口に取り付けると、まず、取付け口から本体内部へ蒸気が流入する。排出口が絞られているので蒸気が外部へ逃げずに内部に留まる蒸気量を増やすことができ、これにより、外気温により冷やされた本体の内壁に接する蒸気を増やすことができる。そして、本体外壁に接触した蒸気は凝縮して水となり、一部の蒸気は排出口から排出される。即ち、本体内の容積や排出口の最少の断面積に応じて、排出口から排出される蒸気は加湿器の蒸気噴出口から排出される蒸気よりも減少することなり、これより蒸気量が調整されることになる。
【０００５】
請求項２に記載の発明は、前記スチーム式加湿器蒸気調整器は、さらに、１以上のアダプター調整体を有するものであって、このアダプター調整体は、中空のアダプター本体と、
前記アダプター本体の下方に形成される上記排出口に取付けることができる、前記アダプター本体の水平面で切った最大の断面積よりも小さな断面積部分を有するアダプター取付け口と、前記アダプター本体の上方に形成される、前記アダプター本体の水平面で切った最大の断面積よりも小さな断面積部分を有し、前記排出口と同じ形状と大きさを有するアダプター排出口とを有するものである。
請求項３に記載の発明は、前記スチーム式加湿器蒸気調整器において、前記本体は、容積が可変に形成されるものである。
【発明の効果】
【０００６】
請求項１に記載の発明は、スチーム式の加湿器に取り付けるだけで蒸気量の調整をすることができる。また、電気的な機器を使用しないので、故障などの不具合が生じることがほとんどない。
請求項２に記載の発明は、アダプター調整体を本体の排出口に取り付けることで、アダプター調整体のアダプター本体内部でも蒸気の凝縮が起こり蒸気量の調整がされ、さらに、アダプター調整体のアダプター排出口に別のアダプター調整体を取り付けることで、この別のアダプター調整体内部でも蒸気の凝縮が起こり蒸気量の調整がされる。即ち、アダプター調整体を用いることで多段階の蒸気量の調整をすることができる。
請求項３に記載の発明は、本体の体積を変えることができ、本体の体積に応じて凝縮する水蒸気量が変わるので、本体の体積を変えることで噴出する蒸気量を調整することができる。
【発明を実施するための最良の形態】
【０００７】
以下、本発明の実施形態について、図面を参照しながら説明する。
（実施形態１）
図１に実施形態１に係るスチーム式加湿器用蒸気調整器Ｘの斜視図を示し、図２にスチーム式加湿器用蒸気調整器Ｘの縦断面図を示す。スチーム式加湿器用蒸気調整器Ｘは、合成樹脂により一体に形成される、中空の本体１０と、本体１０の上下に設けられる取付け口２０及び排出口３０とから構成される。本体１０は上下が縮径した筒状である。取付け口２０は、所定のスチーム式の加湿器Ｍの蒸気噴出口Ｍ１に取り付けることができる大きさを有するものであり、ここでは、円筒状の蒸気噴出口Ｍ１の内径に嵌合する外径を有する円筒状に形成され、本体１０の縮径する下縁に滑らかに接合している。排出口３０は、円筒状であり、本体１０の縮径する上縁に滑らかに接合している。このような構成により本体１０の水平面で切った最大の断面積は、取付け口２０及び排出口３０の水平面で切った断面積よりも大きくなっている。
【０００８】
スチーム式加湿器用蒸気調整器Ｘはこのような構成を有するので、加湿器Ｍの蒸気噴出口Ｍ１に取付け口２０を嵌合させて固定することで、加湿器Ｍの蒸気噴出口Ｍ１から排出される蒸気は、本体１０内に流入し、排出口３０の断面積が小さく絞られているので、外部へそのまま放出される割合が抑えられ、外気により冷却されが本体外壁に触れることで、凝縮して水滴となって本体１０の内壁に付着する。付着した水滴は下方へ流れて取付け口２０から蒸気噴出口Ｍ１内へ戻っていく。一方、凝縮しなかった蒸気は排出口３０から外部へ拡散していく。従って、スチーム式加湿器用蒸気調整器Ｘを取り付けることにより、外部へと排出される蒸気の量を減らすことができるので、蒸気量の調整機能がない加湿器において蒸気の調整を行うことができる。
【０００９】
（実施形態２）
図３に実施形態２に係るスチーム式加湿器用蒸気調整器Ｙの縦断面図を示す。このスチーム式加湿器用蒸気調整器Ｙは、実施形態１に係るスチーム式加湿器用蒸気調整器Ｘよりもやや本体の容量を小さくするとともに、上部にアダプター調整体Ｙαを積み重ねていくことができる点において相違する。なお、ここでは、スチーム式の加湿器Ｍの蒸気噴出口Ｍ１に直接取り付けるベース部分Ｙβと、アダプター調整体Ｙαとは形状、大きさともに同じ物を使用する。アダプター調整体Ｙαは、アダプター本体５０αを実施形態１に係るスチーム式加湿器用蒸気調整器Ｘの本体の約5分の1の長さにし、アダプター排出口６０αの内径を加湿器Ｍの蒸気噴出口Ｍ１の内径と一致させたものである。アダプター調整体Ｙαのアダプター取付け口６０αは、実施形態１に係るスチーム式加湿器用蒸気調整器Ｘの取付け口２０と同じである。このような構成により、アダプター調整体Ｙαは、直接加湿器Ｍの蒸気噴出口Ｍ１に取り付けるとベース体Ｙβとなり、ベース体Ｙβの排出口７０βは蒸気噴射項Ｍ１と同じ内径を有するので、この上にアダプター調整体Ｙαのアダプター取付け口６０αを取り付けることができ、さらに、このアダプター調整体Ｙαのアダプター排出口７０αに別のアダプター調整体Ｙαのアダプター取付け口６０αを取り付けることができる。
【００１０】
スチーム式加湿器用蒸気調整器Ｙは、このような構成を有するので、アダプター調整体Ｙαを積み重ねる数により全体の容積を変えることができ、積み重ねる量を増やすことで、外部へ拡散する蒸気の量を減らすことができる。即ち、スチーム式加湿器用蒸気調整器Ｙは、加湿器Ｍから拡散する蒸気の量を多段階で調整することができるようになる。
【００１１】
（実施形態３）
図４に実施形態３に係るスチーム式加湿器用蒸気調整器Ｚの正面図を示す。このスチーム式加湿器用蒸気調整器Ｚの実施形態１に係る蒸気調整器Ｘとの相違点は、本体１００が蛇腹状に形成されている点と、本体を支持する支柱１３０が設けられている点である。
本体１００は蛇腹状に形成されることで伸縮可能となり、内容積を調整することができるようになっている。支柱１３０は、加湿器Ｍの上面に固定される土台１３２と、土台１３２から垂直に立設される柱体１３１、柱体１３１の外周に係合し、柱体１３１に摺動可能に固定される筒体１３３、筒体１３３の側面に設けられる貫通したネジ穴に係合する固定ネジ１３３ａ、筒体１３３の側面から水平に延びるように固定され、先端部で排出口１２０の外周に貫通して連結する杆体１３３ｂとから構成される。なお、土台１３２の加湿器Ｍへの固定はネジや接着剤、磁石などの手段によりなされる。
【００１２】
スチーム式加湿器用蒸気調整器Ｚはこのような構成を有するので、取付け口１１０を加湿器Ｍの蒸気噴出口Ｍ１に嵌合固定し、支柱１３０の筒体１３３に固定されるネジ１３３ａを緩めて、杆体１３３ｂの高さ、即ち、排出口１２０の高さを調整して、任意の位置でネジ１３３ａを締めて筒体１３３を固定することで、杆体１３３ｂ、排出口１２０の位置を固定する。これにより、排出口１２０の高さに応じて本体１００の内容積が変わることになり、この内容積に応じて本体１００内部で水蒸気が凝縮して減じられ、残りの水蒸気が排出口１２０から外部へ拡散することになる。即ち、スチーム式加湿器用蒸気調整器Ｚは、排出口１２０の位置を調整して本体１００の内容積を変えることで、抑制する水蒸気の量を無段階に調整することが可能となる。
【図面の簡単な説明】
【００１３】
【図１】実施形態１に係るスチーム式加湿器用蒸気調整器の斜視図である。
【図２】実施形態１に係るスチーム式加湿器用蒸気調整器の縦断面図である。
【図３】実施形態２に係るスチーム式加湿器用蒸気調整器の縦断面図である。
【図４】実施形態３に係るスチーム式加湿器用蒸気調整器の正面図である。
【符号の説明】
【００１４】
Ｘ、Ｙ、Ｚ  スチーム式加湿器用蒸気調整器
１０、５０β、１００  本体
５０α  アダプター本体
２０、６０β、１１０  取付け口
６０α  アダプター取付け口
３０、７０β、１２０  排出口
７０α  アダプター排出口
１３０  支柱
【図１】
2007017009.tif 000003
【図２】
2007017009.tif 000004
【図３】
2007017009.tif 000005
【図４】
2007017009.tif 000006